(57)【要約】【課題】  Ｌ字状の支持枠に厚板単体のガラスパネルのＬ字状２辺を支持し、その余の２辺を露出したガラススクリーンを形成して、その上記ガラスパネルの取り外しを不能とする。【解決手段】  支持枠Ｂにおける下枠２のＵ字溝２２に、その長手方向端部２箇所にＵ字状のピース部材３を配置し、このピース部材３にガラスパネルＣの下端を挿入し、Ｕ字溝２２の起立条２３からの六角ボルト６を、ピース部材３のナット孔に螺入して、その先端を、ガラススクリーンＣ保護用のネジ受けプレート４に強固に圧接し、起立条２３に起立条カバー２４をスナップイン固定して、ボルト頭を被覆し、下枠２の先端にキャップ２７を固定する。下枠２を部分的に埋め込み設置することによってボルト６を外せないようにする。【選択図】  図６
2012158945.tif 000002
【特許請求の範囲】
【請求項１】
アルミ押出材の縦枠と下枠をＬ字状に配置した支持枠にＬ字状の２辺を支持し且つその余の辺を露出して厚板パネルを起立配置したスクリーンであって、該厚板パネルのＬ字状２辺の支持を、縦枠において該縦枠に形成した嵌挿溝に厚板パネルの一側片側端部を嵌合支持する一方、下枠において該下枠に形成した上向き開口のＵ字溝の長手方向に複数配置のＵ字状ピース部材に厚板パネルの下端部を挿入し上記Ｕ字溝の一方の起立条からのネジによって該厚板パネルを下枠に固定し且つ該ネジのネジ頭側の起立条の全長を起立条カバーによって被覆してなることを特徴とするスクリーン。
【請求項２】
上記ネジによる厚板パネルの下枠への固定を、該ネジを上記ピース部材の一方の起立片に螺装貫通して該ネジ先端で上記厚板パネルを圧接することによって行ってなることを特徴とする請求項１に記載のスクリーン。
【請求項３】
上記厚板パネルに対するネジ先端の圧接を、ネジ受けプレートを介して厚板パネルにネジ先端を圧接することによって行ってなることを特徴とする請求項２に記載のスクリーン。
【請求項４】
上記起立条カバーによる起立条の被覆を、スナップイン係止によって行ってなることを特徴とする請求項１、２又は３に記載のスクリーン。
【請求項５】
上記縦枠及び下枠の先端にキャップを配置するとともに下枠先端のキャップを該下枠のタッピングホールにネジ止めして上記起立条カバーを覆う金属プレートとしてなることを特徴とする請求項１、２、３又は４に記載のスクリーン。
【請求項６】
上記厚板パネルを、ガラスによる厚板のガラスパネルとしてなることを特徴とする請求項１、２、３、４又は５に記載のスクリーン。
【発明の詳細な説明】
【技術分野】
【０００１】
本発明は、厚板のパネルをＬ字状の支持枠に支持して、例えば玄関に設置使用するスクリーンに関する。
【背景技術】
【０００２】
この種の玄関に設置使用するスクリーンとして、アルミ押出材の外枠に、縦格子パネルの４辺を囲繞支持したものが知られており、下記特許文献１は、例えば、上下左右のアルミ押出材で縦長矩形の外枠を形成し、その上枠と下枠間に，上記縦格子パネルを倹飩状に挿入し、下枠上に位置する下桟を下枠にネジ止め固定することによって縦格子パネルの下端を固定してその位置決め固定を行い、上枠の下向き開口一方の対向壁と縦格子パネルの上桟との間に形成された残余の空隙にビードを圧入介設することによって、該縦格子パネルを外枠に挟持固定したものとされる。
【先行技術文献】
【特許文献】
【０００３】
【特許文献１】特開２００８−２７４６１１号公報
【発明の概要】
【発明が解決しようとする課題】
【０００４】
この場合、アルミ押出材の縦長矩形の外枠に対して縦格子パネルを嵌め込むように固定してスクリーンとしての耐久性を長期に亘って確保したものとすることができるとともに該固定を簡易な作業でなし得ることができるが、例えば、ガラスや合成樹脂板、金属板の如くに厚板の縦長矩形、縦長５角形のパネルを用いて、そのＬ字状２辺を支持枠に支持する一方、他の辺、縦長矩形のときは他の２辺、縦長５角形のときは他の３辺を、枠に支持することなく露出した形態とすることによって、デザインに優れ、必要に応じて、例えば面照明等の機能を付与したスクリーンを形成する場合、厚板のパネルは、その露出した辺に枠がないことから、該露出した辺を外側に引き抜き、厚板のパネルを支持枠から取り外すことが可能となるという問題点を生じることになり、従って、Ｌ字状２辺の支持を行って他の辺を露出するように、スクリーンを構成したとき、該厚板のパネルの引き抜きとこれによる取り外しを防止する必要が生じる。
【０００５】
本発明はかかる事情に鑑みてなされたもので、その解決課題とするところは、該厚板パネルのＬ字状２辺を支持するように構成することによってデザインに優れ、必要に応じてその余の機能を付与したものとするとともにその厚板のパネルの支持枠からの取り外しを防止し得るようにしたスクリーンを提供するにある。
【課題を解決するための手段】
【０００６】
上記課題に沿って本発明は、アルミ押出材の縦枠と下枠によってＬ字状の厚板パネルのＬ字状２辺を支持するとともに下枠のＵ字溝に厚板パネルの下端を挿入して該下枠とネジによって一体化するとともに該ネジのネジ頭を被覆して該ネジ頭の露出を防止することによって外観よくネジ隠しをなし得るようにしたものであって、即ち、請求項１に記載の発明を、アルミ押出材の縦枠と下枠をＬ字状に配置した支持枠にＬ字状の２辺を支持し且つその余の辺を露出して厚板パネルを起立配置したスクリーンであって、該厚板パネルのＬ字状２辺の支持を、縦枠において該縦枠に形成した嵌挿溝に厚板パネルの一側片側端部を嵌合支持する一方、下枠において該下枠に形成した上向き開口のＵ字溝の長手方向に複数配置のＵ字状ピース部材に厚板パネルの下端部を挿入し上記Ｕ字溝の一方の起立条からのネジによって該厚板パネルを下枠に固定し且つ該ネジのネジ頭側の起立条の全長を起立条カバーによって被覆してなることを特徴とするスクリーンとしたものである。
【０００７】
請求項２に記載の発明は、上記に加えて、厚板パネルにネジ挿通用の透孔を配置する如き加工を施すことなく可及的簡易且つ確実な下枠への固定をなし得るものとするように、これを、上記ネジによる厚板パネルの下枠への固定を、該ネジを上記ピース部材の一方の起立片に螺装貫通して該ネジ先端で上記厚板パネルを圧接することによって行ってなることを特徴とする請求項１に記載のスクリーンとしたものである。
【０００８】
請求項３に記載の発明は、同じく上記に加えて、該ネジ先端の圧接を、厚板パネルを保護して、該厚板パネルに対するネジ螺装の衝撃や損傷を与えることのなく且つ強固な圧接をなし得るものとするように、これを、上記厚板パネルに対するネジ先端の圧接を、ネジ受けプレートを介して厚板パネルにネジ先端を圧接することによって行ってなることを特徴とする請求項２に記載のスクリーンとしたものである。
【０００９】
請求項４に記載の発明は、上記に加えて、上記起立条カバーによる起立条の被覆を簡易且つ確実に行うものとするように、これを、上記起立条カバーによる起立条の被覆を、スナップイン係止によって行ってなることを特徴とする請求項１、２又は３に記載のスクリーンとしたものである。
【００１０】
請求項５に記載の発明は、同じく上記に加えて、Ｌ字状配置の縦枠及び下枠の先端にキャップを配置して、これら端部を被覆するとともに下枠において上記起立条カバーを容易に外せないように被覆して、上記ネジ隠しを更に確実になし得るものとするように、これを、上記縦枠及び下枠の先端にキャップを配置するとともに下枠先端のキャップを該下枠のタッピングホールにネジ止めして上記起立条カバーを覆う金属プレートとしてなることを特徴とする請求項１、２、３又は４に記載のスクリーンとしたものである。
【００１１】
請求項６に記載の発明は、同じく上記に加えて、上記厚板パネルをガラス製として、良好且つ斬新なデザインとし、また、必要に応じて面照明機能を付与し得るものとして、商品価値を向上したものとするように、これを、上記厚板パネルを、ガラスによる厚板のガラスパネルとしてなることを特徴とする請求項１、２、３、４又は５に記載のスクリーンとしたものである。
【００１２】
本発明はこれらをそれぞれ発明の要旨として上記課題解決の手段としたものである。
【発明の効果】
【００１３】
本発明は以上のとおりに構成したから、請求項１に記載の発明は、アルミ押出材の縦枠と下枠によってＬ字状の厚板パネルのＬ字状２辺を支持するとともに下枠のＵ字溝に厚板パネルの下端を挿入して該下枠とネジによって一体化するとともに該ネジのネジ頭を被覆して該ネジ頭の露出を防止することによって外観よくネジ隠しを行うようにして、該厚板のパネルのＬ字状２辺を支持するように構成することによってデザインに優れ、必要に応じてその余の機能を付与したものとするとともにその厚板のパネルの支持枠からの取り外しを防止し得るようにしたスクリーンを提供することができる。
【００１４】
請求項２に記載の発明は、上記に加えて、厚板パネルにネジ挿通用の透孔を配置する如き加工を施すことなく可及的簡易且つ確実な下枠への固定をなし得るものとすることができる。
【００１５】
請求項３に記載の発明は、同じく上記に加えて、該ネジ先端の圧接を、厚板パネルを保護して、該厚板パネルに対するネジ螺装の衝撃や損傷を与えることのなく且つ強固な圧接をなし得るものとすることができる。
【００１６】
請求項４に記載の発明は、上記に加えて、上記起立条カバーによる起立条の被覆を簡易且つ確実に行うものとすることができる。
【００１７】
請求項５に記載の発明は、同じく上記に加えて、Ｌ字状配置の縦枠及び下枠の先端にキャップを配置して、これら端部を被覆するとともに下枠において上記起立条カバーを容易に外せないように被覆して、上記ネジ隠しを更に確実になし得るものとすることができる。
【００１８】
請求項６に記載の発明は、同じく上記に加えて、上記厚板パネルをガラス製として、良好且つ斬新なデザインとし、また、必要に応じて面照明機能を付与し得るものとして、商品価値を向上したものとすることができる。
【図面の簡単な説明】
【００１９】
【図１】スクリーンの正面図である。
【図２】スクリーンの平面図である。
【図３】スクリーンの側面図である。
【図４】図１のＡ‐Ａ線縦断面図である。
【図５】図１のＢ‐Ｂ線横断面図である。
【図６】図４の部分拡大縦断面図である。
【発明を実施するための形態】
【００２０】
以下図面の例に従って本発明を更に具体的に説明すれば、Ａはスクリーンであり、該スクリーンＡは、アルミ押出材の縦枠１と下枠２をＬ字状に配置した支持枠ＢにＬ字状の２辺を支持し且つその余の辺を露出して厚板パネルＣを起立配置した、本例にあって上記厚板パネルＣを厚板単体のガラスパネルとしたガラススクリーンとしてあり、該厚板パネルＣのＬ字状２辺の支持は、これを、縦枠１において該縦枠１に形成した嵌挿溝に厚板パネルＣの一側片側端部を嵌合支持する一方、下枠２において該下枠２に形成した上向き開口のＵ字溝２２の長手方向に複数配置のＵ字状ピース部材３に厚板パネルＣの下端部を挿入し上記Ｕ字溝２２の一方の起立条２３からのネジ６によって該厚板パネルＣを下枠２に固定し且つ該ネジ６のネジ頭側の起立条２３の全長を起立条カバー２４によって被覆したものとしてある。
【００２１】
本例にあって、上記ガラスパネルとした厚板パネルＣの上記ネジ６による下枠２への固定は、これを、該ネジ６を上記ピース部材３の一方の起立片に螺装貫通して該ネジ先端で上記厚板パネルＣを圧接することによって行ったものとしてあり、このとき、該厚板パネルＣに対するネジ６先端の圧接は、これを、ネジ受けプレート４を介して厚板パネルＣにネジ６先端を圧接することによって行ったものとしてある。
【００２２】
該厚板パネルＣ、即ちガラスパネルは、例えば、厚さを１乃至２ｃｍ程度の厚板とし、これに面取り措置を施すことによってエッジを解消した単体のものとしてあり、本例にあってその高さを８０〜９０ｃｍ、幅を４０〜５０ｃｍ程度の縦長矩形のものを用いて、その２辺を上記支持枠Ｂに支持する一方、その余の２辺を、枠や桟を配置することなくそのまま露出することによって、例えば、設置状態で地表からの高さを９０〜１００ｃｍ程度、幅を４１〜５１ｃｍ程度として、上記スクリーンＡをなすものとしてある。
【００２３】
支持枠Ｂの縦枠１は、一側片側に嵌合溝を配置した縦枠本体１１と、該縦枠本体１１に、その他側片側に、該他側片側をスナップイン係止によって被覆するように固定した縦枠カバー１２を備えた２部材構成のものとしてあり、該縦枠本体１１は、その下端において後述の下枠２のタッピングホール２５に該縦枠本体１１からネジを螺入して該下枠２を、Ｌ字状の支持枠Ｂをなすように固定した後に、該縦枠カバー１２によって該ネジのネジ頭を被覆して、該ネジ頭の露出を回避したものとしてあり、また、該縦枠１は、その先端に、該縦枠カバー１１を含めて、これを被覆するキャップ１３を配置したものとして、該先端を閉塞してある。
【００２４】
支持枠Ｂの下枠２は、中空幅広の下枠本体２１と、その上記起立条を、同じくスナップイン係止によって被覆する起立条カバー２４を備えた２部材構成のものとしてあり、上記下枠本体２１は、上向き開口のＵ字溝２２と、該Ｕ字溝２２を区画形成して対向する一対の起立条２３を備えるとともに内側４箇所にタッピングホール２５を配置したものとするとともに対向する側壁の下端に凹溝２６を配置したものとしてあり、上記縦枠本体１１からの各ネジで該縦枠本体１１、即ち縦枠１に一体的に固定して上記支持枠Ｂを構成してあり、また、該下枠は、その先端に、上記起立条カバー２４を含めて、これを被覆するキャップ２７を配置して、該先端を閉塞したものとしてあり、このとき該下枠２先端のキャップ２７は、これを該下枠２のタッピングホール２５にネジ６止めして上記起立条カバー２４を覆う金属プレートとし、該キャップ２７によって中空部の閉塞を行ったものとしてある。
【００２５】
下枠２に対する上記厚板パネルＣの固定は、該下枠２に対して、そのＵ字溝２２に厚板パネルＣの下端を挿入して、ネジ６、本例にあっては六角ボルトを圧接することによって行ってあり、このとき、本例にあって該Ｕ字溝２２の長手方向、特に縦枠側及び先端側の端部２箇所に嵌挿配置した断面Ｕ字状のピース部材３を用いるとともに厚板パネルＣのネジ圧接側に配置したネジ受けプレート４を用いるものとし、このとき該ピース部材３及びネジ受けプレート４は、例えば、いずれも金属製、特にステンレス製のものとしてあり、該ピース部材３はその片側の起立片に雌ネジを刻設したナット孔を配置し且つ底板に下枠、即ち上記Ｕ字溝２２の底壁への固定用に皿ネジ用のネジ穴を配置したものとしてあり、また、ネジ受けプレート４は、例えば、上記ピース部材３と同等高さにして長手方向端部２箇所のピース部材３間に亘る長さの長尺のものとし又は該ピース部材３の長さに応じて短寸のものとしたプレートによるものとしてある。
【００２６】
ピース部材３は、下枠本体２１のＵ字溝２２底壁にその上記ネジ穴からの図示省略のネジで定位置に固定し、Ｕ字溝２２内で長手方向に揺動することなく、厚板パネルＣの確実な支持をなし得るように、その配置を行ってある。
【００２７】
このようにピース部材３及びネジ受けプレート４を用いた、上記支持枠Ｂに対する厚板パネルＣの支持は、その縦長矩形の片側側端を、縦枠１、即ち縦枠本体１１の嵌合溝に嵌合し、下端を下枠２、即ち下枠本体２１に配置したピース部材３に挿入することによって、縦枠１の嵌合位置に応じてその下端の位置決めを行い、該縦枠１嵌合による位置決め状態で、上記ネジ６の圧接により下枠２に対する固定を行ったものとしてある。
【００２８】
本例の厚板パネルＣは、そのピース部材３への下端部の挿入を、該ピース部材３の底板との間及びピース部材３の他方の起立条２３とガラスパネルとの間のそれぞれにクッション材５を配置し、該クッション材５によりガラスパネルを用いた厚板パネルＣの保護を行ったものとしてある。
【００２９】
ネジ６、本例にあって上記六角ボルトは、上記下枠２のＵ字溝２２を画する一方の起立条２３の長手方向端部に透設した透孔を介して且つワッシャーを用いて、それぞれ上記ピース部材３のナット孔の雌ネジに螺装し、該ナット孔を貫通して、本例にあって上記ネジ受けプレート４に先端を対接して、その圧接を行うようにしてあり、このとき上記ナット孔を配置したピース部材３は、これをステンレス、特に厚肉のステンレス製としたことによって、強固な締着を行い、同じくステンレス製とした上記ネジ受けプレート４を強圧するように進行して、該ネジ受けプレート４及び厚板パネルＣを下枠２に強固に固定するようにしてある。
【００３０】
該厚板パネルＣの支持枠Ｂへの固定後に、例えば縦枠カバー１２、縦枠のキャップ１３、起立条カバー２４、下枠２のキャップ２７を配置して、スクリーンＡを組み立てればよく、該スクリーンＡは、長尺の縦枠１下方及び下枠２の上記凹溝２６を抜け止めとするように下枠本体２１下方を地中に部分的に埋め込んで、その設置を行うものとしてある。このように部分的は地中埋込みを行うことによって、下枠２におけるキャップ２７の下方部位が同時に埋め込まれるために、該キャップ２７が外れたり、外されたりする可能性を確実に解消したものとしてある。
【００３１】
本例のスクリーンＡ、即ち、ガラススクリーンは、そのガラスパネルの２辺を支持枠に支持するとともにその余の、本例にあっては同じく２辺を露出したままのものとしたから、それ自体外観を良好なものとすることができ、本例にあって、例えば、住宅やビルの玄関に設置使用して、玄関ドア、玄関引戸等の出入口の部分的な目隠しをなし得るように、該ガラスパネルに表面粗面化の措置を部分的に施して、透明な模様部位と粗面化部位を配置して装飾面を備えたものとしてある。また、該装飾面を備えることによって、必要に応じて、例えば、縦枠１又は下枠２にＬＥＤユニットの如きＬＥＤ光源を設置して、該ＬＥＤ光源をガラスパネルの側端乃至下端に臨設することによって、該ＬＥＤ光源を夜間に点灯し、その入射光を乱反射させて、ガラスパネルの面照明をなし得るように使用し得るものとしてある。
【００３２】
このとき、アルミ押出材の縦枠１と下枠２によってＬ字状の厚板パネルＣのＬ字状２辺を支持するとともに下枠２のＵ字溝２２に厚板パネルＣの下端を挿入して、上記ネジ６の圧接によってこれを下枠２に固定してあるから、工具としてドライバーを用いる程度で、支持枠Ｂに対する厚板パネルＣの固定を可及的簡易な作業によりに確実に行うことができる。また、上記ネジ６を緩めて圧接を解除しなければ、厚板パネルＣの取り外しをなし得ないところ、上記起立条カバー２４がネジ６隠しを行う一方、スクリーンＡの設置に際して、下枠２を部分的に地中埋込み状態とすることにより、下枠２先端の下枠キャップ２７もその下方が埋め込まれるとともに起立条カバー２４の長手方向端部が、該下枠キャップ２７によって被覆されるから、起立条カバー２４をこじ開けるといったことも防止され、従って、ネジ頭を露出することなく厚板パネルＣの支持を行ったスクリーンＡの構造とその設置の構造の双方併用によって、ネジ６の圧着を解除して、支持枠Ｂから厚板パネルＣのガラスパネルを取り外すことを事実上不可能とするものとできる。
【００３３】
図示した例は以上のとおりとしたが、厚板パネルを耐光性に優れた単体乃至積層の合成樹脂、木製、金属等の厚板単体パネルとし、また、その形状を露出した２辺のコーナーを角落しした５角形等の形状とし、該露出した２辺に波状の装飾を施すこと、下枠、特にその下枠本体を一体のものとすること、Ｕ字状ピース部材を３乃至それ以上用いること等を含めて本発明の実施に当って、支持枠、縦枠、下枠、厚板パネル、Ｕ字状ピース部材、起立条カバー、必要に応じて用いるネジの圧接、ネジ受けプレート、クッション材、キャップ等の各具体的材質、形状、構造、これらの関係、これらに対する付加等は、上記発明の要旨に反しない限り様々な形態のものとすることができる。
【符号の説明】
【００３４】
Ａ  スクリーン
Ｂ  支持枠
Ｃ  厚板パネル
１  縦枠
１１  縦枠本体
１２  縦枠カバー
１３  キャップ
２  下枠
２１  下枠本体
２２  Ｕ字溝
２３  起立条
２４  起立条カバー
２５  タッピングホール
２６  凹溝
２７  キャップ
３  ピース部材
４  ネジ受けプレート
５  クッション材
６  ネジ
【図１】
2012158945.tif 000003
【図２】
2012158945.tif 000004
【図３】
2012158945.tif 000005
【図４】
2012158945.tif 000006
【図５】
2012158945.tif 000007
【図６】
2012158945.tif 000008